(57)【特許請求の範囲】
【請求項１】
商用電源からの通電により電力を供給される炊飯器を制御する制御手段と、前記制御手段により制御される商用電源からの通電を可能もしくは停止に切り替える通電切替え手段と、少なくとも前記通電切替え手段を動作させるバックアップ手段とを備え、前記制御手段は前記バックアップ手段の出力状態が通常状態よりも低い第１の所定の状態になったとき、前記通電切替え手段を制御して、商用電源からの通電を可能にしてなる炊飯器。
【請求項２】
商用電源からの通電により電力を供給される炊飯器を制御する制御手段と、前記制御手段により制御される商用電源からの通電を可能もしくは停止に切り替える通電切替え手段と、少なくとも前記通電切替え手段を動作させるバックアップ手段とを備え、前記制御手段は前記バックアップ手段の出力状態が通常状態よりも低い第２の所定の状態になったとき、前記通電切替え手段とは別に設けられたバイパス手段を介して商用電源からの通電を可能としてなる炊飯器。
【請求項３】
制御手段は、バックアップ手段の出力状態が通常状態よりも低い所定の状態になったとき、商用電源からの通電を可能にすると共に、商用電源からの通電を停止不可の状態としてなる請求項１または２に記載の炊飯器。
【請求項４】
制御手段は、前記バックアップ手段からのエネルギー供給が可能となる第３の所定の状態となるまで、商用電源からの通電を停止不可の状態としてなる請求項３記載の炊飯器。
【請求項５】
通電切替え手段またはバイパス手段は、その状態を維持するための電力が不要なものを使用してなる請求項１〜４のいずれか１項に記載の炊飯器。
【請求項６】
バイパス手段として、一度通電可能な状態になった後、制御手段により通電停止状態にならないものを使用してなる請求項２〜５のいずれか１項に記載の炊飯器。
【請求項７】
通電切替え手段により停止されない方法でバックアップ手段にエネルギーを供給可能としてなる請求項１〜６のいずれか１項に記載の炊飯器。
【請求項８】
バックアップ手段に２次電池を使用してなる請求項１〜７のいずれか１項に記載の炊飯器。
【発明の詳細な説明】
【０００１】
【発明の属する技術分野】
本発明は、一般家庭、あるいは業務用に使用する炊飯器に関するものである。
【０００２】
【従来の技術】
従来、この種の炊飯器は、例えば図８に示されるような構成であった。図において、１は米と水を入れる鍋１であり、鍋１を加熱するための加熱手段２が配設されている。この加熱手段２に商用電源からの電力を供給するためのコンセントからの配線３と、配線３の途中で商用電源からの電力の供給を可能または停止にする切替え手段４と、この切替え手段４を制御する制御手段５と切り替え手段４に動作のための電力を供給するバックアップ手段６からなり、制御手段５は加熱手段２を制御して、炊飯を行い、必要に応じて切り替え手段４を制御することで不要な電力消費を避けている。
【０００３】
【発明が解決しようとする課題】
しかしながら、従来の炊飯器では、切替え手段により商用電源からの通電を停止した後、再度切り替え手段を通電可能な状態にする際にバックアップ手段からエネルギーが供給されなくなったとき、通電可能な状態に戻ることができなくなる課題を有していた。
【０００４】
本発明は上記課題を解決するのもので、バックアップ手段からエネルギーが供給されない状態で、通電が停止の状態になることを防止することを目的としている。
【０００５】
【課題を解決するための手段】
上記課題を解決するために本発明は、商用電源からの通電により電力を供給される炊飯器を制御する制御手段と、前記制御手段により制御される商用電源からの通電を可能もしくは停止に切り替える通電切替え手段と、少なくとも前記通電切替え手段を動作させるバックアップ手段とを備え、前記制御手段は前記バックアップ手段の出力状態が通常状態よりも低い第１の所定の状態になったとき、前記通電切替え手段を制御して、商用電源からの通電を可能にしてなるものである。
【０００６】
【発明の実施の形態】
請求項１記載の発明は、商用電源からの通電により電力を供給される炊飯器を制御する制御手段と、前記制御手段により制御される商用電源からの通電を可能もしくは停止に切り替える通電切替え手段と、少なくとも前記通電切替え手段を動作させるバックアップ手段とを備え、前記制御手段は前記バックアップ手段の出力状態が通常状態よりも低い第１の所定の状態になったとき、前記通電切替え手段を制御して、商用電源からの通電を可能にしてなることにより、バックアップ手段からのエネルギーが供給されなくなる前に、通電可能な状態にするようにしている。
【０００７】
請求項２記載の発明は、商用電源からの通電により電力を供給される炊飯器を制御する制御手段と、前記制御手段により制御される商用電源からの通電を可能もしくは停止に切り替える通電切替え手段と、少なくとも前記通電切替え手段を動作させるバックアップ手段とを備え、前記制御手段は前記バックアップ手段の出力状態が通常状態よりも低い第２の所定の状態になったとき、前記通電切替え手段とは別に設けられたバイパス手段を介して商用電源からの通電を可能としてなることにより、バックアップ手段からのエネルギーが供給されなくなったとき、通電可能な状態にするようにしている。
【０００８】
請求項３記載の発明は、特に、バックアップ手段の出力状態が通常状態よりも低い所定の状態になったとき、商用電源からの通電を可能にすると共に、商用電源からの通電を停止不可の状態としてなることにより、バックアップ手段からのエネルギーが供給されなくなったとき、通電可能な状態にするとともに、誤って、通電停止状態にならないようにしている。
【０００９】
請求項４記載の発明は、特に、前記バックアップ手段からのエネルギー供給が可能となる第３の所定の状態となるまで、商用電源からの通電を停止不可の状態としてなることにより、バックアップ手段からのエネルギーが供給されなくなったとき、通電可能な状態にするとともに、バックアップ手段からのエネルギー供給が可能になった場合、元の状態に戻ることが可能になるようにしている。
【００１０】
請求項５記載の発明は、特に、通電切替え手段またはバイパス手段は、その状態を維持するための電力が不要なものを使用してなることにより、より消費電力を抑えて上記の発明を実現することができる。
【００１１】
請求項６記載の発明は、特に、バイパス手段として、一度通電可能な状態になった後、制御手段により通電停止状態にならないものを使用してなることにより、前記制御手段が動作不可能な状態にあっても通電可能な状態を維持することが可能になる。
【００１２】
請求項７記載の発明は、特に、通電切替え手段により停止されない方法でバックアップ手段にエネルギーを供給可能としてなることにより、バックアップ手段からのエネルギー供給を復活させられるようにしている。
【００１３】
請求項８記載の発明は、特に、バックアップ手段に２次電池を使用してなることにより、バックアップ手段からのエネルギー供給を復活させられるようにしている。
【００１４】
【実施例】
以下、本発明の実施例について、図面を参照しながら説明する。なお、すべての実施例において、第１から第３の所定の状態としているが、こればバックアップ手段の状態を直接または間接的に知ることまたは推測することができるものであれば、電圧でも、時間でも、温度でも、動作回数などでもよく、また互いに同じでも違っていてもかまわない。
【００１５】
（実施例１）
図１と図２は本発明の第１の実施例のブロック図とフローチャートである。
【００１６】
図１において１は米と水を入れる鍋１で、２は前記鍋を加熱するための加熱手段で、ヒータを使用している。３はこの加熱手段に商用電源からの電力を供給するためのコンセントからの配線で、４は配線の途中で商用電源からの電力の供給を可能または停止にする切替え手段であり、リレーを使用している。５はこの切替え手段を制御する制御手段であり、マイクロコンピュータと周辺回路からなる。６は切替え手段に動作のための電力を供給するバックアップ手段の電池であり、制御手段は加熱手段を制御して、炊飯を行い、必要に応じて切り替え手段を制御することで不要な電力消費を避けてるとともに、バックアップ手段が第１の所定の状態として例えば電圧が３Ｖ以下になったとき、切替え手段を通電可能状態にする。
【００１７】
次に、図２を用いてその動作を説明すると、ステップ１でバックアップ手段が第１の所定の状態になっているかどうか判断し、なっていればステップ２へ、なっていなければステップ３へ進む。ステップ２では切り替え手段を通電可能状態にして、ステップ６へ進む。ステップ３では、現在通電可能にすべきかどうかを判断して、通電可能にすべき状態であればステップ４へ進み、切替え手段を通電可能状態にしてステップ６へ進む。通電を停止すべき状態であればステップ５へ進み、切替え手段を通電停止状態にして、ステップ６へ進む。ステップ６では、切替え手段の制御以外の炊飯器としての動作を行いステップ１へ進む。
【００１８】
このように本実施例によれば、バックアップ手段から動作のためのエネルギー供給が不可能になる前に通電可能状態にしておくことで、バックアップ手段から動作のためのエネルギーが供給されない状態でも、通電可能な状態にしておくことができる。
【００１９】
（実施例２）
図３、図４は、本発明の第２の実施例のブロック図とフローチャートである。
【００２０】
図３において１は米と水を入れる鍋１で、２は前記鍋を加熱するための加熱手段で、ヒータを使用している。３はこの加熱手段に商用電源からの電力を供給するためのコンセントからの配線で、４は配線の途中で商用電源からの電力の供給を可能または停止にする切替え手段でありリレーを使用している。５はこの切替え手段を制御する制御手段であり、マイクロコンピュータと周辺回路からなる。６は切替え手段に動作のための電力を供給するバックアップ手段の電池であり、制御手段は加熱手段を制御して、炊飯を行い、必要に応じて切り替え手段を制御することで不要な電力消費を避けてるとともに、バックアップ手段が第２の所定の状態として例えば電圧が３Ｖ以下になったとき、バイパス手段７により、切替え手段をかいさずに商用電源からの電力が供給できるようになっている。
【００２１】
次に、図４を用いてその動作を説明すると、ステップ１でバックアップ手段が第２の所定の状態になっているかどうか判断し、なっていればステップ７へ、なっていなければステップ３へ進む。ステップ７ではバイパス手段を通電可能状態にして、ステップ６へ進む。ステップ３では、現在通電可能にすべきかどうかを判断して、通電可能にすべき状態であればステップ４へ進み、切替え手段を通電可能状態にしてステップ６へ進む。通電を停止すべき状態であればステップ５へ進み、切替え手段を通電停止状態にして、ステップ６へ進む。ステップ６では、切替え手段の制御以外の炊飯器としての動作を行いステップ１へ進む。
【００２２】
このように本実施例によれば、バックアップ手段から動作のためのエネルギー供給が不可能になっても、バイパス手段により通電可能状態にすることで、バックアップ手段から動作のためのエネルギーが供給されない状態でも、通電可能な状態にすることができる。
【００２３】
なお、本発明ではバイパス手段のみを動作させているが、通電切替え手段も動作させてもよく、その場合必ずしも同時に動作させる必要はない。
【００２４】
（実施例３）
図５は本発明の第３の実施例のフローチャートである。なお、本発明の第３の実施例のブロック図は実施例１と同じため、説明は省略する。
【００２５】
図５において、ステップ１でバックアップ手段が第１の所定の状態になっているかどうか判断し、なっていればステップ２へ、なっていなければステップ３へ進む。ステップ２では切り替え手段を通電可能状態にして、ステップ８へ進む。ステップ８では、切替え手段の制御以外の炊飯器としての動作を行いステップ１へ進む。ステップ３では、現在通電可能にすべきかどうかを判断して、通電可能にすべき状態であればステップ４へ進み、切替え手段を通電可能状態にしてステップ６へ進む。通電を停止すべき状態であればステップ５へ進み、切替え手段を通電停止状態にして、ステップ６へ進む。ステップ６では、切替え手段の制御以外の炊飯器としての動作を行いステップ１へ進む。
【００２６】
このように、本実施例によれば、バックアップ手段から動作のためのエネルギー供給が不可能になる前に通電可能状態にしておき、通電不可能な状態に切り替えないようにすることで、バックアップ手段から動作のためのエネルギーが供給されない状態でも、通電可能な状態にしておくことができ、また誤って通電が不可能な状態にしてしまうことを防止することができる。
【００２７】
なお、本実施例のステップ２において切り替え手段の代わりに、バイパス手段を動作させてもよい。
【００２８】
また、本実施例では、切替え手段またはバイパス手段の一方を動作させているが、両方を動作させてもよく、その場合必ずしも同時に動作させる必要はない。
【００２９】
（実施例４）
図６は本発明の第４の実施例のフローチャートである。なお、本発明の第４の実施例のブロック図は実施例１と同じため、説明は省略する。
【００３０】
図６を用いて動作を説明すると、ステップ１でバックアップ手段が第１の所定の状態になっているかどうか判断し、なっていればステップ２へ、なっていなければステップ３へ進む。ステップ２では切り替え手段を通電可能状態にして、ステップ８へ進む。ステップ８では、切替え手段の制御以外の炊飯器としての動作を行いステップ９へ進む。ステップ９ではバックアップ手段が第３の所定の状態になっているかどうかを判断し、なっていればステップ１へ、なっていなければステップ２へ進む。ステップ３では、現在通電可能にすべきかどうかを判断して、通電可能にすべき状態であればステップ４へ進み、切替え手段を通電可能状態にしてステップ６へ進む。通電を停止すべき状態であればステップ５へ進み、切替え手段を通電停止状態にして、ステップ６へ進む。ステップ６では、切替え手段の制御以外の炊飯器としての動作を行いステップ１へ進む。
【００３１】
このように、本実施例によればバックアップ手段から動作のためのエネルギー供給が不可能になる前に通電可能状態にしておき、通電不可能な状態に切り替えないようにして、バックアップ手段から動作のためのエネルギー供給が可能な状態になったとき、再度切り替え可能にすることで、バックアップ手段から動作のためのエネルギーが供給されない状態でも、通電可能な状態にしておくことができ、また誤って通電が不可能な状態にしてしまうことを防止した上で、バックアップ手段からのエネルギー供給が可能な状態になったとき、元に戻ることができる。
【００３２】
なお、本実施例おいて切り替え手段の代わりに、バイパス手段を動作させてもよい。
【００３３】
また、本実施例では、切替え手段またはバイパス手段の一方を動作させているが、両方を動作させてもよく、その場合必ずしも同時に動作させる必要はない。
【００３４】
（実施例５）
図１および図３のブロック図において通電切替え手段に状態を維持するための電力が不要なもの、例えばラッチングリレーを用いたものである。
【００３５】
このように本実施例によれば通電切替え手段に状態を維持するための電力が不要なため、より消費電力を小さくすることができる。
【００３６】
なお、本実施例おいて切り替え手段の代わりに、バイパス手段に用いてもよく、また両方に用いてもよい。
【００３７】
（実施例６）
図３のブロック図においてバイパス手段として、一度通電可能な状態になった後、前記制御手段により、再び通電停止状態にならないもの、例えばラッチングリレーを用いて通電停止のための信号が印加されないようにしたものを使用したものである。
【００３８】
このように、本実施例によれば、バックアップ手段から動作のためのエネルギー供給が不可能になる前に通電可能状態にしておくことで、バックアップ手段から動作のためのエネルギーが供給されない状態でも、通電可能な状態にしておくことができ、制御手段が動作不能な状態でも通電状態を維持することができる。
【００３９】
なお、本実施例でバイパス手段は、一度通電可能な状態になった後、制御手段により、再び通電停止状態にならないようにしているが、外部からの信号により通電可能な状態にすることを可能にしてもよい。
【００４０】
（実施例７）
図７は本発明の第７の実施例のブロック図である。
【００４１】
図７において８は、バックアップ手段に前記通電切替え手段により停止されない方法でエネルギーを供給することを可能にするエネルギー供給手段であり例えば太陽電池などがある。他の記号は図１と同じため説明を省略する。
【００４２】
本実施例によれば、バックアップ手段に前記通電切替え手段により停止されない方法でエネルギーを供給することを可能になり、バックアップ手段からのエネルギー供給を復活させられるようにしている。
【００４３】
なお、本実施例ではエネルギー供給手段として太陽電池をあげたが、切替え手段により通電を停止されない別系統の商用電源でも、１次電池でも、空中送電でも、内部発電でもよく、バイパス手段を経由して得るようにしてもよい。
【００４４】
また、別系統の商用電源の場合、これを必要に応じて切り離せるようにしてもよく、またこの切り離しのための手段を動作させるエネルギーをバイパス手段を経由して得るようにしてもよい。
【００４５】
（実施例８）
図７のブロック図においてバックアップ手段として２次電池を使用したものである。
【００４６】
本実施例によれば、バックアップ手段に２次電池を使用することで、バックアップ手段からのエネルギー供給を復活させられるようにしている。
【００４７】
なお、以上の実施例において、バックアップ手段はマイクロコンピュータなどの制御手段のバックアップ用電源と同一でも別でもよい。
【００４８】
また、以上の実施例において、バックアップ手段が第１または第２の所定の状態になったとき、切替え手段またはバイパス手段を通電可能な状態にしたときに、その状態を表示、音などを使って報知してもよい。
【００４９】
【発明の効果】
以上のように、請求項１、２に記載の発明は、切替え手段用のバックアップ手段が所定の状態になったときに、切替え手段またはバイパス手段を通電可能な状態にするようにしていることで、バックアップ手段からエネルギーが供給されない状態で、通電が停止の状態になることを防止することができる。
【００５０】
また、請求項３に記載の発明は、切替え手段用のバックアップ手段が所定の状態になったときに切替え手段またはバイパス手段を通電可能な状態にするようにした後、通電を停止の状態にしないようにしていることで、バックアップ手段からエネルギーが供給されない状態で、通電が停止の状態になることを確実に防止することがでる。
【００５１】
また、請求項４に記載の発明は、切替え手段用のバックアップ手段が所定の状態になったときに切替え手段またはバイパス手段を通電可能な状態にするようにした後、バックアップ手段が第３の所定の状態になるまで通電を停止の状態にしないようにしていることで、バックアップ手段からエネルギーが供給されない状態で、通電が停止の状態になることを確実に防止するとともに、バックアップ手段が復活した際に元に戻ることを可能にしている。
【００５２】
また、請求項５に記載の発明は、通電切替え手段やバイパス手段としてラッチングリレーのように状態を維持するための電力が不要なものを使用することで、より消費電力を小さくすることができる。
【００５３】
また、請求項６に記載の発明は、バイパス手段として、一度通電可能な状態になった後、制御手段により通電停止状態にならないものを使用したことにより、制御手段が動作不能の状態にあっても通電可能な状態を維持することができる。
【００５４】
また、請求項７に記載の発明は、バックアップ手段に通電切替え手段により停止されない方法でエネルギーを供給することが可能にすることで、条件がそろえば、バックアップ手段を復活させることができる。
【００５５】
また、請求項８に記載の発明は、バックアップ手段に２次電池を使用したもので、従来のような１次電池のように消耗した場合に交換しなくても、バックアップ手段を復活させることができる。
【図面の簡単な説明】
【図１】本発明の第１の実施例の炊飯器のブロック図
【図２】同炊飯器のフローチャート
【図３】本発明の第２の実施例の炊飯器のブロック図
【図４】同炊飯器のフローチャート
【図５】本発明の第３の実施例の炊飯器のフローチャート
【図６】本発明の第４の実施例の炊飯器のフローチャート
【図７】本発明の第７の実施例の炊飯器のブロック図
【図８】従来例の炊飯器のブロック図
【符号の説明】
１  鍋
２  加熱手段
３  配線
４  切替え手段
５  制御手段
６  バックアップ手段
７  バイパス手段
８  エネルギー供給手段
【図１】
0003552541.tif 000002
【図２】
0003552541.tif 000003
【図３】
0003552541.tif 000004
【図４】
0003552541.tif 000005
【図５】
0003552541.tif 000006
【図６】
0003552541.tif 000007
【図７】
0003552541.tif 000008
【図８】
0003552541.tif 000009